(57)【特許請求の範囲】
【請求項１】
通信網を介して他の情報伝達装置に対して通信可能に接続された情報伝達装置であって、
前記他の情報伝達装置から当該情報伝達装置に送信された情報の閲覧価値の重要度を数値化するための優先度の算定に用いる設定値と、前記情報に含まれ得る属性の中で前記設定値の設定対象となる優先度対象属性又は前記情報に含まれ得るキーワードの中で前記設定値の設定対象となる優先度対象キーワードの少なくとも一方とを、前記情報の経由者になり得る経由ユーザの中で前記設定値の設定対象となる優先度対象経由ユーザ毎に、関連付けて格納する設定値データベースと、
前記他の情報伝達装置から当該情報伝達装置に送信された情報に基づいて、当該情報に含まれている前記優先度対象経由ユーザ毎に、当該情報に含まれている前記優先度対象属性又は当該情報に含まれている前記優先度対象キーワードに対応する前記設定値を前記設定値データベースから取得し、当該取得した設定値に基づいて、当該情報に対する前記優先度を算出する優先度算出手段と、
を備えたことを特徴とする情報伝達装置。
【請求項２】
前記優先度算出手段は、前記他の情報伝達装置から当該情報伝達装置に送信された情報の経由ユーザの中に前記優先度対象経由ユーザが複数含まれている場合には、当該複数の優先度対象経由ユーザ毎に前記優先度を算出し、これら複数の優先度対象経由ユーザ毎の優先度を合算することにより、最終的な前記優先度を算出すること、
を特徴とする請求項１に記載の情報伝達装置。
【請求項３】
前記優先度算出手段は、前記他の情報伝達装置から当該情報伝達装置に送信された情報に基づいて、当該情報に含まれている前記優先度対象属性の数を計数し、当該計数した優先度対象属性の数と前記取得した設定値とに基づいて、当該情報に対する前記優先度を算出すること、
を特徴とする請求項１又は２に記載の情報伝達装置。
【請求項４】
前記優先度算出手段は、前記計数した優先度対象属性の数と前記取得した設定値とに基づいて、
【数１】
0004316160.tif 000003
における前記優先度を算出すること（ここで、Ｊｋは、前記優先度対象属性が含まれている場合は１、前記優先度対象属性が含まれていない場合は０、Ｗｊｋは、前記優先度対象属性に対応する前記設定値、ＣＣは、前記優先度対象属性の数、Ｋｋは、前記優先度対象キーワードが含まれている場合は１、前記優先度対象キーワードが含まれていない場合は０、Ｗｗｋは、前記優先度対象キーワードに対応する前記設定値）、
を特徴とする請求項３に記載の情報伝達装置。
【請求項５】
当該情報伝達装置に送信された情報に対する閲覧結果を入力するための入力手段と、
当該情報伝達装置に送信された情報に含まれている前記優先度対象経由ユーザに対応して前記設定値データベースに格納されている前記設定値であって、当該情報に含まれている前記優先度対象属性又は当該情報に含まれている前記優先度対象キーワードに対応する前記設定値を、前記入力手段にて入力された閲覧結果に基づいて変更する設定値変更手段、
を備えることを特徴とする請求項１から４のいずれか一項に記載の情報伝達装置。
【請求項６】
前記他の情報伝達装置から当該情報伝達装置に送信された情報に含まれ得る属性の中でカット対象とすべき情報の属性であるカット対象属性、又は、当該情報に含まれ得るキーワードの中でカット対象とすべき情報のキーワードであるカット対象属性キーワードの少なくとも一方とを、前記情報の経由者になり得る経由ユーザの中でカット対象とすべき情報の経由ユーザであるカット対象経由ユーザ毎に、関連付けて格納するカット対象データベースと、
前記他の情報伝達装置から当該情報伝達装置に送信された情報に前記カット対象経由ユーザが含まれているか否かを前記カット対象データベースを参照して判定し、当該カット対象経由ユーザが含まれている場合には、当該情報に前記カット対象属性又は前記カット対象属性キーワードが含まれているか否かを前記カット対象データベースを参照して判定し、当該カット対象属性又は当該カット対象属性キーワードが含まれている場合には、当該情報を廃棄するカットオフフィルタリングと、
を備えたことを特徴とする請求項１から５のいずれか一項に記載の情報伝達装置。
【請求項７】
通信網を介して他のコンピュータに対して通信可能に接続されたコンピュータにおいて実行される情報伝達プログラムであって、
前記コンピュータには、前記他のコンピュータから当該コンピュータに送信された情報の閲覧価値の重要度を数値化するための優先度の算定に用いる設定値と、前記情報に含まれ得る属性の中で前記設定値の設定対象となる優先度対象属性又は前記情報に含まれ得るキーワードの中で前記設定値の設定対象となる優先度対象キーワードの少なくとも一方とを、前記情報の経由者になり得る経由ユーザの中で前記設定値の設定対象となる優先度対象経由ユーザ毎に、関連付けて格納する設定値データベースが設けられ、
前記コンピュータに、前記他のコンピュータから当該コンピュータに送信された情報に基づいて、当該情報に含まれている前記優先度対象経由ユーザ毎に、当該情報に含まれている前記優先度対象属性又は当該情報に含まれている前記優先度対象キーワードに対応する前記設定値を前記設定値データベースから取得し、当該取得した設定値に基づいて、当該情報に対する前記優先度を算出する優先度算出ステップを実行させること、
を特徴とする情報伝達プログラム。
【発明の詳細な説明】
【０００１】
【発明の属する技術分野】
この発明は、情報伝達システム等に関し、特に通信網を介して行われる情報を伝達する情報伝達システム等に関する。
【０００２】
【従来の技術】
今日のインターネットの普及により、ユーザーは、例えばウェブページに掲載された多量の情報の中から興味のある情報或いは欲しい情報等を探し出して閲覧することができる。しかし、多量の情報の中から探し出した情報が、ユーザー自身にとって見る価値のある情報であるか否かは情報の内容を閲覧しなければ判らない。そのため、ユーザーは、多量の情報の中から自分の欲しいと思われる情報を探し出してその内容をその都度閲覧する。そして、閲覧した情報が価値の無いものであれば、再度、別の情報を探し出して内容を見るというようにして行なわなければならず、ユーザーは多大な労力を要しているという問題点がある。
【０００３】
一方、例えば電子メールを配信することにより、ユーザーに強制的に特定の情報を送り届ける方法も行なわれている。
【０００４】
ところが、この方法においても、ユーザーにとって不必要な情報も届いてしまい、ユーザーは不必要な情報も見なければならない。
【０００５】
【発明が解決しようとする課題】
本願発明は、以上のような実情に鑑みて提案されたもので、各ユーザーにとって価値のある情報だけを伝達できる情報伝達システム等を提供することを目的とする。
【０００６】
【課題を解決するための手段及び発明の作用効果】
請求項１、７に記載の本発明によれば、他の情報伝達装置から当該情報伝達装置に送信された情報に含まれている優先度対象経由ユーザ毎に、当該情報に含まれている優先度対象属性又は優先度対象キーワードに対応する設定値を設定値データベースから取得し、当該取得した設定値に基づいて、当該情報に対する前記優先度を算出する。
このため、送信されてきた情報の中にユーザ自身にとって閲覧する価値のないものが混在している場合でも、情報の内容を閲覧する前に、送信されてきた情報に対する閲覧価値の有無を自身で判断できる。これにより、送信されてきた情報の中に自身にとって閲覧する価値のないものが混在している場合でも、自身の判断で閲覧価値のある情報だけを選択して閲覧することも可能となる。
また、価値判断データを、情報の閲覧価値の重要度を数値で表した優先度としたので、価値判断データを見れば即座に情報の閲覧価値の重要度が高いものか、低いものかを判別でき、判断を容易にできる。
また、優先度は、情報が送信されてくるまでに経由してきた経由ユーザーと、予め経由ユーザーに関して設定した設定値とに基づいて算出される。例えば情報が送信されてくるまでに情報が経由してきた経由ユーザーの中に、自分にとって閲覧価値の高い情報を流す可能性が高いと考えられるユーザーがいる場合や、逆に自分にとって閲覧価値の低い情報を流す可能性が高いと考えられるユーザーがいる場合もあり、情報が経由してきた経由ユーザーを考慮することは、情報に対する価値判断をする上で重要な要素となる。そこで、情報が送信されてくるまでに情報が経由してきた経由ユーザーと、予め経由ユーザーに関して設定した設定値とに基づいて優先度を算出するようにすれば、算出した優先度を、経由ユーザーに応じて算出でき、閲覧価値の重要度を数値で示すものとして信頼性のあるものにできる。
さらに、経由ユーザーに関して設定した設定値が、経由ユーザーについて、その経由ユーザーに関連付けた情報の属性に対して設定したものであり、優先度が、送信されてくる情報の属性と、情報が送信されてくるまでに経由してきた経由ユーザーと、予め経由ユーザーに関連付けた情報の属性に対して設定した設定値とに基づいて算出される。ある特定の経由ユーザーの流す情報でも、特定の属性に関する情報は、自分にとって特に閲覧価値の高いが、他の属性に関する情報は、それほどでもない場合もある。そこで、送信されてきた情報の属性と、経由ユーザーと、予め経由ユーザーについて関連付けた情報の属性に対して設定した設定値とに基づいて優先度を算出するようにすれば、優先度を、経由ユーザー及び情報の属性に応じて算出でき、一層、閲覧価値の重要度を数値で示すものとして信頼性の高いものにできる。
【０００７】
請求項２に記載の本発明によれば、請求項１に記載の本発明において、前記優先度算出手段は、前記他の情報伝達装置から当該情報伝達装置に送信された情報の経由ユーザの中に前記優先度対象経由ユーザが複数含まれている場合には、当該複数の優先度対象経由ユーザ毎に前記優先度を算出し、これら複数の優先度対象経由ユーザ毎の優先度を合算することにより、最終的な前記優先度を算出する。
【０００８】
請求項３に記載の本発明によれば、請求項１又は２に記載の本発明において、前記優先度算出手段は、前記他の情報伝達装置から当該情報伝達装置に送信された情報に基づいて、当該情報に含まれている前記優先度対象属性の数を計数し、当該計数した優先度対象属性の数と前記取得した設定値とに基づいて、当該情報に対する前記優先度を算出する。
【０００９】
請求項４に記載の本発明によれば、請求項３に記載の本発明において、前記優先度算出手段は、前記計数した優先度対象属性の数と前記取得した設定値とに基づいて、
【数２】
0004316160.tif 000002
における前記優先度を算出する（ここで、Ｊｋは、前記優先度対象属性が含まれている場合は１、前記優先度対象属性が含まれていない場合は０、Ｗｊｋは、前記優先度対象属性に対応する前記設定値、ＣＣは、前記優先度対象属性の数、Ｋｋは、前記優先度対象キーワードが含まれている場合は１、前記優先度対象キーワードが含まれていない場合は０、Ｗｗｋは、前記優先度対象キーワードに対応する前記設定値）。
【００１０】
請求項５に記載の本発明によれば、請求項１から４のいずれか一項に記載の本発明において、当該情報伝達装置に送信された情報に対する閲覧結果を入力するための入力手段と、当該情報伝達装置に送信された情報に含まれている前記優先度対象経由ユーザに対応して前記設定値データベースに格納されている前記設定値であって、当該情報に含まれている前記優先度対象属性又は当該情報に含まれている前記優先度対象キーワードに対応する前記設定値を、前記入力手段にて入力された閲覧結果に基づいて変更する設定値変更手段を備える。
【００１１】
請求項６に記載の本発明によれば、前記他の情報伝達装置から当該情報伝達装置に送信された情報に前記カット対象経由ユーザが含まれているか否かを前記カット対象データベースを参照して判定し、当該カット対象経由ユーザが含まれている場合には、当該情報に前記カット対象属性又は前記カット対象属性キーワードが含まれているか否かを前記カット対象データベースを参照して判定し、当該カット対象属性又は当該カット対象属性キーワードが含まれている場合には、当該情報を廃棄するカットオフフィルタリングを備える。
例えば特定のユーザーが流す特定の属性に関する情報は、送信先となったユーザーにとって閲覧価値が低いと判断し得る場合がある。そこで、この発明のように、例えば自分にとっては閲覧価値が低いと考えられる特定のユーザーを経由ユーザとし、この経由ユーザーと特定の属性とを予め関連付けて登録しておき、これに該当する情報が送信されてくれば廃棄するようにしておけば、送信されてくる情報を、閲覧価値の低いものを予め排除して整理したものにでき、情報データの作成を容易にできるとともに、情報データに閲覧価値の低い情報を掲載せずに済み、情報データを利用し易いものにできる。
【００２７】
【発明の実施の形態】
図１は、本願発明の情報提供装置を有する情報提供システムの一実施形態のブロック図である。
【００２８】
この実施形態の情報提供システムは、情報提供装置としてのユーザーの使用するコンピュータ１…１と、メールサーバ２とを備えている。
【００２９】
メールサーバ２は、通信網としてのインターネット１０を介してコンピュータ１…１各々と通信可能に接続されており、各コンピュータ１…１から送信先の他のコンピュータ１…１に送信された電子メールを一旦受信するとともに、メールサーバ２に電子メールを受け取るためにアクセスしてきた送信先の他のコンピュータに電子メールを送信する。従って、本実施形態においては、情報は、電子メールの形態で、メールサーバ２を介してコンピュータ１…１を使用するユーザー間に伝達される。尚、この図１では、メールサーバ２を一つ設けたものとしているが、この形態のものに限らず、例えば各コンピュータ１…１毎に、インターネット１０を介して通信可能に接続したメールサーバ２を複数、設けるとともに、インターネット１０を介してメールサーバ２同士を通信可能に接続したものとし、一のコンピュータ１から送信先の他のコンピュータ１に送信された電子メールを、一のコンピュータに接続したメールサーバ２が受信して、送信先の他のコンピュータ１と接続させたメールサーバ２に送信し、そのメールサーバ２にアクセスしてきた送信先の他のコンピュータに電子メールを送信するようにしても良く、適宜変更し得る。
【００３０】
コンピュータ１…１は、各ユーザーが使用するもので、複数のものから構成されている。これらのコンピュータ１…１は、通信網としてのインターネット１０、メールサーバ２を介して相互に通信可能に接続されている。
【００３１】
各コンピュータ１は、図２に示すようにデータベース１１と、送信先登録手段１２と、カットオフフィルタリング１３と、優先度算出手段１４と、価値判断データ表示手段１５と、設定値変更手段１６と、表示手段１７ａと、入力手段１７ｂと、送信決定手段２０と、受信手段１９と、送信手段１８とを備えている。
【００３２】
データベース１１は、送信先データベース１１ａと、情報データベース１１ｂと、カット対象データベース１１ｃと、設定値データベース１１ｄとを備えている。
【００３３】
送信先データベース１１ａは、情報を送信する宛先である送信先を登録する。この実施形態では、図１１に示すように送信先となったユーザーの通信アドレスとしての電子メールアドレス及びそのユーザーの名称を登録している。
【００３４】
又、送信先は、送信先に対して情報を送信する送信元のユーザーと情報に対する価値判断を共通にするユーザー宛に送信されるようになされている。送信元のユーザーと情報に対する価値判断を共通にするユーザーとは、例えば送信元のユーザーと送信先のユーザーとの両者における全ての情報に対する価値判断が一致又は近似する場合の他、特定の属性の情報に対する価値判断が一致又は近似する場合も含む。具体的には、例えば送信元のユーザーと送信先のユーザーとが共通の趣味を有していることによって、その共通の趣味に関する情報に対する価値判断が一致又は近似するような場合をいう。
【００３５】
情報データベース１１は、送信されてきた情報、或いは、後述する情報データを登録する。
【００３６】
カット対象データベース１１ｃは、後述するカットオフフィルタリング１３によって、受信した情報の内で廃棄する情報の対象にするカット対象を登録する。この実施形態では、図１２に示すようにカット対象にするカット対象経由ユーザー及びカット対象にする情報の要素としてカット対象情報要素を設定する。この経由ユーザーは、情報がコンピュータ１に送信されてくるまでに経由してきたユーザーであり、例えばユーザーＸ、ユーザーＥを経由してユーザーＹから送信されてきた場合は、ユーザーＸ、ユーザーＥ、ユーザーＹ夫々がその情報に対する経由ユーザーＸ、経由ユーザーＥ、経由ユーザーＹとなる。又、カット対象情報要素として特定の情報の属性及びキーワードを設定し、その設定した情報の属性及びキーワードを夫々、カット対象属性、カット対象キーワードとして、経由ユーザーと関連付けて登録する。
【００３７】
設定値データベース１１ｄは、後述する優先度算出手段１４によって優先度を算出する際に用いる設定値を登録する。この実施形態では、図１３に示すように、設定値を設ける対象となる経由ユーザー、情報の属性及びキーワードを、夫々優先度対象経由ユーザー、優先度対象属性、優先度対象キーワードとし、各優先度対象属性及び優先度対象キーワードに設定値を設定するとともに、優先度対象経由ユーザーと、優先度対象属性及び優先度対象キーワードとを関連付けて登録することにより、各優先度対象経由ユーザーについての優先度対象属性及び優先度対象キーワードに対する設定値として登録する。尚、この優先度対象属性及び優先度対象キーワードに設定した設定値は、１〜１００の整数値を採用した。又、この設定値は、優先度対象経由ユーザーの送信する優先度対象属性に関する情報又は優先度対象キーワードを含む情報に対して、送信先となるユーザーにとって閲覧価値が高いか低いかを基準にし、閲覧価値が高いと予想できるものを高い数値に、閲覧価値が低いと予想できるものを低い数値に設定したものである。従って、例えばこの設定値データベース１１ｄにおいて、優先度対象経由ユーザーとして登録されたユーザーＸを経由してくる情報に関しては、属性「５」のものが属性「４」及び属性「６」のものよりも高い数値になっているため、属性「５」のものが属性「４」及び属性「６」のものよりも閲覧価値が高いことを意味する。
【００３８】
送信先登録手段１２は、本実施形態では、一のユーザーが送信元として、他のユーザーに、送信先になるように依頼した場合に、送信先になる旨の認証を他のユーザーから受信すると、他のユーザーを送信先として送信先データベース１１ａに自動的に登録する。従って、この実施形態では、送信元となるユーザーにより送信先として指定されても送信先となるユーザーからの認証がなければ登録されない。又、この実施形態では、送信元となる他のユーザーから、ユーザーを指定して送信先になるように依頼してきた場合に、送信先になる旨の認証を他のユーザーに送信すると、その依頼してきた他のユーザーを送信先として送信先データベース１１ａに自動的に登録する。従って、本実施形態では、送信元となったユーザーは、送信先データベース１１ａに登録した送信先のユーザーの使用するコンピュータ１で送信先として登録される。尚、送信先登録手段１２による送信先の登録は、上記形態のものに限らず、送信先となるユーザーから、送信元のユーザーになるように依頼されたユーザーの認証に基づいて行なうようにして良い。
【００３９】
カットオフフィルタリング１３は、受信した情報の内で、ユーザーにとって閲覧価値のないと考えられる情報を、ユーザーが内容を閲覧する前に予め自動的に廃棄するためのであり、送信されてきた情報の内、上述のカット対象情報要素データベース１１ｃに登録したカット対象に合致する情報を廃棄する。例えばこの図１２に示すように経由ユーザーＭについて、対象属性「１」、対象属性「３」及び対象キーワード「１」を設定しているため、送信されてきた情報が登録した経由ユーザーＭを経由してきたものであって、その情報が属性「１」に該当する場合、経由ユーザーＭを経由してきたものであって、その情報が属性「２」に該当する場合、又は、経由ユーザーＭを経由してきたものであって、その情報にキーワード「１」を含んでいる場合は、カットオフフィルタリング１３によってその情報を自動的に廃棄する。
【００４０】
優先度算出手段１４は、優先度を算出するものである。この優先度は、情報に対する閲覧価値の重要度を数値で表したものである。この実施形態における優先度算出手段１４は、設定値データベース１１ｄに登録した優先度対象経由ユーザーに関連付けて登録した優先度対象属性及び優先度対象キーワードに対して設定した設定値と、送信されてきた情報の属性と、キーワードと、情報が経由してきた経由ユーザーとに基づいて、図１８に示す優先度算出式を用いて優先度を算出する。この優先度算出式の第１項は、優先度対象経由ユーザー全員についての優先度対象属性に対する属性優先度を算出し、第２項は、優先度対象経由ユーザー全員についての優先度対象キーワードに対するキーワード優先度を算出するようになされており、属性優先度とキーワード優先度とを合計することにより、情報に対する優先度を算出し得るようになされている。
【００４１】
価値判断データ表示手段１５は、各情報について、ユーザーが内容を閲覧するに先立って、ユーザーが内容を閲覧する価値を判断する際の価値判断データを表示するものである。本実施形態における価値判断データ表示手段１５は、情報を他の情報から識別する情報識別子としてのタイトルと、上記の優先度算出手段１４によって算出した優先度とを掲載した図１５に示すような情報データを作成し、この情報データを価値判断データとして、情報の内容を表示するに先立って表示する。
【００４２】
設定値変更手段１６は、情報を閲覧したユーザーの情報に対する内容評価に応じてその都度、設定値データベース１１ｄに記録している設定値を変更する。この実施形態では、情報を閲覧したユーザーが情報の内容について興味を持てて閲覧価値のある面白いものと判断した場合には、その情報の経由してきた各経由ユーザーであって、その情報の属性及び情報に含まれるキーワードに該当する優先度対象経由ユーザーについての優先度対象属性と優先度対象キーワードの設定値を増加させる。一方、情報を閲覧したユーザーが情報の内容について興味をもてず閲覧価値のない、つまらないものと判断した場合には、その情報の経由してきた各経由ユーザーであって、その情報の属性及び情報に含まれるキーワードに該当する優先度対象経由ユーザーについての優先度対象属性と優先度対象キーワードの設定値を減少させる。
【００４３】
送信決定手段２０は、このコンピュータを使用するユーザーによって行なわれた情報の送信要否の判断データの入力に応じて、情報の送信を行なうか否かを決定するものである。
【００４４】
送信手段１８は、送信決定手段２０により情報の送信を行なうとの判断を行なった情報を、インターネット１０、メールサーバ２を介して、送信先データベース１１ａに登録した各送信先のユーザー宛に送信する。
【００４５】
受信手段１９は、送信元のユーザーにより閲覧価値のある面白いものと判断された情報を、インターネット１０、メールサーバ２を介して他のコンピュータ１から受信する。
【００４６】
又、コンピュータ１は、上記の各手段に加え、情報を表示する表示手段１７ａ及びデータを入力する入力手段１７ｂを備えている。
【００４７】
図３は、図２に示す情報伝達システムに用いられるコンピュータ１のハードウェア構成の一例を示す図面である。
【００４８】
コンピュータ１は、記録装置でありコンピュータ１を情報伝達装置として機能させるためのプログラムを記録した記録媒体であるハードディスク５０、ハードディスク５０に記録されたプログラムを実行する制御装置であるＣＰＵ５１、表示装置であるＣＲＴ５２、入力装置であるキーボード５４及びおよびマウス５５、インターネット１０を介して他のコンピュータ１…１及びメールサーバ各々と通信するための通信インタフェース５３を備えている。
【００４９】
コンピュータ１のハードディスク５０には、上記プログラムの他、各データベース１１を構成するデータが記録されている。すなわち、ハードディスク５０が図２の送信先データベース１１ａ、情報データベース１１ｂ、カット情報データベース１１ｃ、及び設定値データベース１１ｄに対応する。
【００５０】
また、コンピュータ１のＣＰＵ５１が、図２の送信先登録手段１２、カットオフフィルタリング１３、優先度算出手段１４、価値判断データ表示手段１５、設定値変更手段１６、送信決定手段２０、表示手段１７ａ、及び入力手段１７ｂに対応する。
【００５１】
次に、本実施形態の動作について、送信先のユーザーの登録を行う場合から説明する。図４は、コンピュータ１が送信先のユーザーを登録する処理の流れを示すフローチャートである。尚、以下の説明において、一のコンピュータ１から他のコンピュータ１に電子メールを送信すると、メールサーバ２を介して他のコンピュータ１が受信することになるが、メールサーバ２は電子メールを単に中継するだけのため、メールサーバ２の動作を省略する。
【００５２】
例えば一のコンピュータ１を使用するユーザーＡが依頼者になって、他のコンピュータ１を使用するユーザーＢを被依頼者としてユーザーＢに送信先になるように依頼する場合は、図９に示すような送信先登録依頼入力画面１００に、ユーザーＢの電子メールアドレス、送信先になって欲しい旨等を入力し、送信先登録依頼入力画面１００の下部に設けられた送信ボタン１００ａをクリックし、メールサーバ２を介して送信する（図４、ステップＳ１）。
【００５３】
メールサーバ２を介して受信した他のコンピュータ１は、図１０に示すような送信先登録依頼画面１０１を表示する。この送信先登録依頼画面１０１には、依頼してきたユーザーＡの電子メールアドレス、送信先になって欲しい旨等が掲載されており、ユーザーＢがこの画面１０１を見て、自己がユーザーＡに対する送信先になるのを認証しない場合は、送信先登録依頼画面１０１の下右部に設けられた拒否ボタン１０１ｂを選択してクリックし、一方、認証する場合は、拒否ボタン１０１ｂの左方側に設けられた認証ボタン１０１ａを選択してクリックする（図４、ステップＳ２）。
【００５４】
認証ボタン１０１ａをクリックした場合は、ユーザーＢの使用する他のコンピュータ１は、認証ボタン１０１ａをクリックしたことを、そのユーザーＢの使用する他のコンピュータ１に設けられた検知手段（図示せず）によって検知し、ユーザーＢが送信先になるのを承認した旨の認証を返信するとともに、自己の送信先データベース１１ａに、ユーザーＡの氏名及びユーザーＡの電子メールアドレスを送信先として登録する（図４、ステップＳ３）。
【００５５】
ユーザーＢから承認した旨の認証の返信を受けたユーザーＡの使用する一のコンピュータ１は、送信先データベース１１ａに、図１１に示すようにユーザーＢの氏名及びユーザーＢの電子メールアドレスを送信先として登録する（図４、ステップＳ４）。このようにして両方のコンピュータ１各々の送信先データベース１１ａに互いに登録されることにより、ユーザーＡとユーザーＢとは、相互に送信元と送信先の関係を有することになり、ユーザーＡの使用する一のコンピュータ１から送信された情報は、ユーザーＢの電子メールアドレス宛に送信されるとともに、ユーザーＢの使用する他のコンピュータ１から送信された情報は、ユーザーＡの電子メールアドレス宛に送信される。
【００５６】
次に、コンピュータ１が送信先として、情報の送信元の他のコンピュータ１から送信された情報を受信した場合について説明する。図５は、コンピュータ１が情報を受信した際の処理の流れを示すフローチャートである。
【００５７】
まず、コンピュータ１は、送信元の他のコンピュータ１から送信された情報を受信する（図５、ステップＳ１１）。尚、この場合の受信も、メールサーバ２を介して受信するが、メールサーバの動作を省略している。又、情報は、実際には電子メールの形で送信又は受信されるが、単に情報の送信又は受信という。
【００５８】
情報を受信したコンピュータ１は、情報の内で、カットオフフィルタリング１３によって、カット対象データベース１１ｃに登録したカット対象に合致する情報を廃棄する（図５、ステップＳ１２）。このカットオフフィルタリング１３による情報の廃棄は、次のようにして行なう。
【００５９】
受信した情報は、例えば図１６に示すように、このコンピュータ１に送信されてくるまでに経由してきた各経由ユーザー名（この図１６では、ユーザーＸ、ユーザーＥが表示されている）及び情報の発信者が記載した情報の属性（この図１６では、属性「４」と属性「５」とが表示されている）が表されており、コンピュータ１は、図６に示すように、まず、受信した情報の経由してきた経由ユーザーを検知し、検知した経由ユーザーが、カット対象データベース１１（図１２参照）に登録したカット対象経由ユーザーに該当するか否かを検知する（図６、ステップＳ２１）。該当する場合は、その情報に記載された情報の属性がカット対象データベース１１ｃに登録したカット対象属性に該当するか、又は情報中にカット対象キーワードを含むか否かを検知する（図６、ステップＳ２２）。対象属性に該当する属性のもの、或いは対象キーワードを含む場合は、その情報を廃棄する（図６、ステップＳ２３）。より具体的には、例えば情報が経由ユーザーＭを経由してきたもので、その情報が属性「１」に該当し、又はキーワード「１」を含む情報である場合は、カットオフフィルタリング１３によって廃棄される。上述のように、送信元のユーザーと送信先となったユーザーは、互いに情報に対する価値判断を共通にする関係を有しており、送信元のユーザーから送られてくる情報の中に、送信先のユーザーにとって閲覧価値の無い情報が含まれている確率の低いものにできても、ユーザーにとって閲覧価値のないものが全く含まれないようにすることはできない。そのため、予め閲覧価値が低いと考えられる特定の経由ユーザーと関連付けて特定の情報の属性及び特定のキーワードを設定し、カットオフフィルタリング１３によって、予め閲覧価値の無いと考えられる一定の設定した情報に合致する情報を自動的に廃棄することにより、情報の中に、ユーザーにとって閲覧価値のない情報が含まれている確率を、より低くできる。
【００６０】
カットオフフィルタリング１３によって廃棄されなかった情報は、図５に示すように、優先度算出手段１４によって情報に対する優先度が算出される（図５、ステップＳ１３）。この優先度の算出は、次のようにして行なわれる。
【００６１】
コンピュータ１は、図７に示すように、経由ユーザー各々についての優先度を算出し、それらを合算することにより、情報に対する優先度を算出する。例えば情報が、図１６に示すようにキーワード「３」（図示せず）を含み、属性「４」及び属性「５」に関するもので、経由ユーザーＸ、経由ユーザーＥ，経由ユーザーＹ（図示せず）を経由してきたものであるとすると、コンピュータ１は、まず、経由ユーザーＸ、経由ユーザーＥ、経由ユーザーＹについて優先度の算出を終了したか否かを検知する（図７、ステップＳ３１）。そして、経由ユーザーＸ、経由ユーザーＥ、経由ユーザーＹについて、未だ終了していないことを検知すると、まず、経由ユーザーＸについて、設定値データベース１１ｄに登録された優先度対象経由ユーザーに該当するか否かを検知し（図７、ステップＳ３２）、該当しない場合は、次の経由ユーザーに進むが（図７、ステップＳ３３）、この場合は、該当するので、次に、情報の属性が、設定値データベース１１ｄに登録された優先度対象属性に該当するか否か、情報中に、設定値データベース１１ｄに登録された優先度対象キーワードが含まれるか否かを検知する（図７、ステップＳ３４）。この情報の属性の検知は、送信されてきた情報中に、発信したユーザーによって記載された属性から検知する。例えば図１６に示すように送信されてきた情報に記載された属性「４」・属性「５」を基に検知する。又、コンピュータ１は、この検知に際して、属性の数を検知する。例えば図１６に示すように送信されてきた情報に記載された属性が属性「４」・属性「５」である場合は、属性の数が２であることを検知する。上記の場合は、検知した情報の属性が、登録された優先度対象属性に該当するので、図１８に示す優先度算出式を用いて優先度を算出する。
【００６２】
具体的には、上記の場合、優先度算出式における第１項のＪｋは、属性「４」、属性「５」が検知されているので属性「４」、属性「５」に対して１となり、属性「６」が検知されていないので属性「６」に対して０となる。又、Ｗｊｋは、設定値データベース１１ｄに登録された属性の属性設定値で、属性「４」については３０、属性「５」については７０、属性「６」については５０である。また、式中のＣＣは、送信されてきた情報の属性の数で、上記の場合は２となる。これらの数値を、図１８に示す優先度算出式の第１項に代入すると、１００ｘ（１ｘ３０＋１ｘ７０＋０ｘ５０）／（３０＋５０＋７０）ｘ２となり、これにより、経由ユーザーＸについての属性優先度を３３として算出する。又、優先度算出式における第２項のＫｋは、経由ユーザーＸについて、キーワード「３」が検知されているので、キーワード「３」に対して１となり、キーワード「４」については検知されていないので、キーワード「４」に対して０となる。また、Ｗｗｋは、設定値データベース１１ｄに登録されたキーワードの属性設定値で、キーワード「３」については３０、キーワード「４」については８０である。これらを優先度算出式の第２項に代入すると、１００ｘ（１ｘ３０＋０ｘ８０）／（３０＋８０）となり、これにより、経由ユーザーＸについてのキーワード優先度を２７として算出する。そして、これらを合計して経由ユーザーＸについての優先度６０を算出する（図７、ステップＳ３５）。尚、情報の属性が、設定値データベース１１ｄに登録された優先度対象属性に該当せず、しかも、情報中に、設定値データベース１１ｄに登録された優先度対象キーワードが含まれていない場合は、ステップＳ３３に進む。
【００６３】
その後、コンピュータ１は、次の経由ユーザーとして、経由ユーザーＥについて、先の経由ユーザーＸの場合と同じ動作を行なう。詳しくは、経由ユーザーＥが、登録された優先度対象経由ユーザーに該当するか否かを検知する（図７、ステップＳ３２）。上記の場合は、経由ユーザーＥについては、優先度対象経由ユーザーとして登録されていないため、ステップＳ３３に進む。尚、経由ユーザーが、登録された優先度対象経由ユーザーに該当しない場合は、その経由ユーザーについての優先度は０となる。
【００６４】
同様にして、コンピュータ１は、次の経由ユーザーとして、経由ユーザーＹについて、優先度を算出する。経由ユーザーＹについては、優先度対象経由ユーザーとして登録されており、又、属性「４」に対する属性設定値が８０、属性「５」に対する属性設定値が６５として登録されているので、優先度算出式の第１項に代入し、１００ｘ（１ｘ８０＋１ｘ６５＋０ｘ２０）／（８０＋６５＋２０）ｘ２として経由ユーザーＹについての属性優先度を４４として算出する。又、経由ユーザーＹについてのキーワード「３」が登録されていないので、経由ユーザーＹについてのキーワードに対する優先度を０として算出する。従って、経由ユーザーＹについての優先度を、４４として算出する（図７、ステップＳ３５）。
【００６５】
そして、このようにして算出された経由ユーザーＹについての優先度を、先に合計された経由ユーザーＸと経由ユーザーＥとの優先度（上記の場合は、経由ユーザーＥについての優先度は０のため、経由ユーザーＸについて算出されたもの）に加算し、情報に対する優先度を算出する（図７、ステップＳ３６）。上記の場合は、経由ユーザーＸについての優先度６０と、経由ユーザーＹについての優先度４４とを合計する。そして、コンピュータ１は、全部の経由ユーザーについて優先度の算出を終えたことを検知し（図７、ステップＳ３１）、経由ユーザーＸ、経由ユーザーＥ，経由ユーザーＹを経由して送信されてきた情報に対する優先度を１０４として算出する。算出された優先度は、数値の高いものほど、情報に対する重要度の高いことを示す。このようにして算出された優先度は、情報が送信されてくるまでにユーザーを経由てきたユーザー伝達経路を構成する全経由ユーザー及び情報の属性並びにキーワードに基づいて算出された数値であり、情報の閲覧価値の重要度を示すものとして信頼性の高いものである。又、図１８に示す優先度算出式における第１項の属性優先度においては、情報に記載された情報の属性の数が複数ある場合は、その数で割るようにして計算するため、属性の数が多くなるに従い数値が高くなってしまうようなことを防止できる。しかも、同じ情報の属性でも、発信する者によって種々の属性に関する情報として把握され複数の属性の内の一つとして他の属性と共に記載された場合より、発信する者によって一つの属性に関する情報として明確に把握され情報の属性として一つのみ記載されている場合の方が、その情報に対する属性優先度を高く算出でき、重要度の高いものとして扱うことができる。ただし、優先度算出式における第２項のキーワード優先度においては、優先度対象キーワードが複数、含まれている場合には、上記の属性優先度のように複数の属性がある場合でもその数で割ることなく、キーワード優先度が高い値になるようにし、それだけ重要度が高いものになるようにしている。
【００６６】
そして、コンピュータ１は、優先度の算出を終えた情報を、図１４に示すようにその内容と、情報を識別する情報識別子としての情報のタイトルと、ユーザー伝達経路と、優先度とを関連付けて、情報データベース１１ｂに登録する。又、コンピュータ１は、情報データベース１１ｂに登録した情報のタイトルと優先度とに基づいて、情報をリスト形式に表した図１５に示すような情報データ１０５を生成し、情報データベース１１ｂに、情報と共に登録する。この実施形態における情報データ１０５は、複数の情報欄１０５ａ…１０５ａを設け、各情報欄１０５ａに、送信元のユーザー名と、情報のタイトルと、優先度とが記載されたものである。
【００６７】
次に、ユーザーが、情報を閲覧する場合について説明する。図８は、ユーザーが情報を閲覧する際の処理の流れを示すフローチャートである。
【００６８】
ユーザーが、コンピュータ１を操作して情報データベース１１ｂに記録した情報を呼び出すと、コンピュータ１は、まず、図１５に示す情報データ１０５をＣＲＴ５２に表示する（図８、ステップＳ４１）。この情報データ１０５には、情報に対する価値の重要度を数値で表した優先度が掲載されているため、ユーザーは、情報の詳細を閲覧する前に、各情報に対する価値の重要度を即座に判断できる。例えば閲覧価値の重要度の高いことを示す優先度の値の高い情報から閲覧することが可能になり、又、閲覧価値の重要度の低いことを示す優先度の値の低い情報を、閲覧することなくユーザーの判断で廃棄することも可能になり、ユーザー自身で閲覧価値を容易に判断でき、閲覧する順序や閲覧するかしないか等の判断も可能になる。
【００６９】
そして、ユーザーが、例えば情報データ１０５に掲載された情報を閲覧する場合は、閲覧しようとする何れかの情報の情報欄１０５ａ、例えば最上方の情報欄１０５ａを１回クリックすることにより選択し、情報データ１０５の下方側に設けられた詳細ボタン１０５ｂをクリックする（図８、ステップＳ４２）。
【００７０】
これにより、コンピュータ１は、ＣＲＴ５２に、図１６に示すような情報詳細表示画面１０６を表示する（図８、ステップＳ４３）。この情報詳細表示画面１０６には、情報の詳細が表示されており、最上部には、情報を最初に発信したユーザー名としてユーザーＸ、そのユーザーＸによって記述した情報のタイトル、情報の属性及び情報としての本文が夫々、掲載されている。又、その下方側には、情報を最初に発信したユーザーＸを送信元として、その送信先となったユーザー名としてユーザーＥ、情報のタイトル、及びユーザーＥが受け取った情報本文の内容に対する追記がそのユーザーＥの情報として掲載されている。同様に、図示しないが、その下方側に、送信先となったユーザー名、そのユーザーの記述した追記等が掲載されている。又、これらに掲載された各ユーザーは、情報が経由してきた経由ユーザーを示す。そして、この情報詳細表示画面１０６を閲覧したこのコンピュータ１を使用するユーザーが、その内容に閲覧価値があったと判断した場合は、情報詳細表示画面１０６の左下部に設けた「面白い」のボタン１０６ａを、閲覧価値がなかったと判断した場合は、情報詳細表示画面１０６の右下部に設けた「つまらない」のボタン１０６ｂを、クリックする（図８、ステップＳ４４）。
【００７１】
「面白い」のボタン１０６ａをクリックした場合は、コンピュータ１は、それを検知し、ＣＲＴ５２に、「追記する」のボタン及び「追記しない」のボタンを有する画面を表示する（図示せず）。そして、ユーザーが、追記しない場合は、「追記しない」のボタンをクリックし、追記する場合は、「追記する」のボタンをクリックする（図８、ステップＳ４５）。「追記しない」のボタンをクリックすると、コンピュータ１は、「発信」ボタンを有する画面（図示せず）を表示するので（図８、ステップＳ４６）、ユーザーは、この「発信」ボタンをクリックする（図８、ステップＳ４７）。尚、「追記しない」のボタンをクリックした場合、「発信」ボタンを有する画面（図示せず）を表示することなく、送信するようしても良い。
【００７２】
一方、ユーザーが、「追記する」のボタンをクリックすると、コンピュータ１は、図１７に示すような追記用画面１０７をＣＲＴ５２に表示する（図８、ステップＳ４８）。ユーザーは、この追記用画面１０７に設けられた追記部１０７ａに追記した後、追記用画面１０７の下部に設けられた「発信」ボタン１０７ｂをクリックする（図８、ステップＳ４９）。
【００７３】
「発信」ボタン１０７ｂがクリックされると、コンピュータ１は、追記用画面１０７の追記部１０７ａに追記した事項を、図１６に示した情報詳細表示画面１０６の最下部に経由ユーザーとしてこのコンピュータ１を使用するユーザーのユーザー名と共に追加した情報詳細を作成する。尚、「追記しない」のボタンをクリックした場合は、最下部に経由ユーザーとしてこのコンピュータ１を使用するユーザーのユーザー名だけを追加した情報詳細を作成する。そして、その情報詳細を、送信先データベース１１ａに送信先として登録した図１１に示す各ユーザー宛に発信する。又、その際、このコンピュータ１に送信してきた送信元も、送信先データベース１１ａに送信先として登録されているため、送信元にも返信されることになる。このようにして、送信元にも送信することにより、送信元であったユーザーは、返信されてくる数によって、自分が面白かったと判断した情報が送信先でも面白かったと判断したことが判り、今後の情報に対する閲覧価値判断をする参考にできる。又、返信されてくる情報には、送信先であったユーザーの追記を追加された情報の一部として見ることもでき、これによっても、今後の情報に対する閲覧価値判断をする参考にできる。
【００７４】
又、コンピュータ１は、設定値変更置手段１６によって、閲覧して面白かったと判断した情報がユーザー伝達経路中の各経由ユーザーについて、その閲覧した情報の属性に合致する設定値データベース１１ｄの優先度対象属性及び情報に含まれていた優先度対象キーワードに対する設定値を増加させる（図８、ステップＳ５０）。例えば上述のように属性「４」及び属性「５」の情報で、キーワード「３」を含み、経由ユーザーＸ、経由ユーザーＥ，経由ユーザーＹのユーザー伝達経路の情報である場合は、設定値データベース１１ｄに登録した優先度対象経由ユーザーＸについての優先度対象属性「４」、優先度対象属性「５」及び優先度対象キーワード「３」の設定値、優先度対象経由ユーザーＹについての優先度対象属性「４」、優先度対象属性「５」の設定値を増加させて登録し直す。この実施形態では、数値を５だけ増加させて変更するようにしているが、増加する値は、特に限定されず、適宜変更できる。従って、これ以降に、再度、同じキーワードを含み、同じ属性の情報で、同じ経由ユーザーを経て送信されてきた情報の優先度は、今回の数値より高く算出される。
【００７５】
一方、情報詳細表示画面１０６を閲覧したユーザーが、情報詳細表示画面１０６の「つまらない」のボタン１０６ｂをクリックすると、情報のユーザー伝達経路中の各経由ユーザーについて、その閲覧した情報の属性に合致する設定値データベース１１ｄの優先度対象属性及び情報に含まれていた優先度対象キーワードに対する設定値を５だけ減少させる（図８、ステップＳ５１）。例えば上述のように属性「４」及び属性「５」の情報で、キーワード「３」を含み、且つ、ユーザーＸ、ユーザーＥ，ユーザーＹのユーザー伝達経路の情報である場合は、設定値データベース１１ｄに登録したユーザーＸについての属性「４」、属性「５」及びキーワード「３」の設定値、ユーザーＹについての属性「４」、属性「５」の設定値を５だけ減少させて登録し直す。従って、これ以降に、再度、同じキーワードを含み、同じ属性の情報で、同じユーザー伝達経路を経て送信されてきた情報の優先度は、今回の数値より低く算出される。
【００７６】
このようにして、ユーザーが閲覧した結果の判断を検知し、設定値データベース１１ｄにフィードバックさせて優先度の値を変更することにより、閲覧するごとに優先度の信頼性を高めることができる。尚、「つまらない」のボタン１０６ｂをクリックした場合は、コンピュータ１は、送信先への送信を行なわない。
【００７７】
尚、本実施形態では、送信先データベース１１ａへの送信先の登録を、送信先登録手段１２によって、依頼された側の認証に基づいて自動的に登録し得るようにしているが、ユーザーが送信先を入力して登録するようしても良い。又、依頼された側の認証に基づいて登録しなくても、送信元となるユーザーが指定したユーザー宛になるように送信先を送信先データベース１１ａに登録するものであっても良く、適宜変更し得る。
【００７８】
又、本実施形態では、価値判断データとして、数値で表した優先度を表示するようにしているが、例えば価値判断データとして、情報が経由してきた各経由ユーザーを経由してきた順に表したユーザー伝達経路を表示するようし、ユーザー伝達経路に表示された各経由ユーザーから情報の閲覧価値の重要度を判断するようしても良い。また、本実施形態では、経由ユーザーと、経由ユーザーと関連付けた一定の情報の属性及び一定のキーワードと、一定の情報の属性及び一定のキーワードに対して設定した設定値とを登録した設定値データベース１１ｄを備え、情報が送信されてくるまでに経由してきた各経由ユーザー及び情報の属性を検知し、検知した各経由ユーザー及び情報の属性が設定値データベース１１ｄに登録した情報の属性に該当するか否かを検知するとともに、送信されてきた情報に、設定値データベース１１ｄに登録したキーワードが含まれているか否かを検知し、登録した情報の属性に設定した設定値及び登録したキーワードに設定した設定値に基づいて各経由ユーザーについての優先度を算出し、算出した各経由ユーザーについての優先度を合算することにより、情報に対する優先度を算出するようにしているが、情報の属性又はキーワードの一方だけに設定値を設定し、その設定値に基づき、優先度算出式を用いて算出するようにしても良い。情報の属性又はキーワードの一方だけに設定した設定値から優先度を算出する場合、優先度算出式は、図１８に示す優先度算出式における第１項又は第２項だけを用いて算出できる。又、優先度を、単に経由ユーザーに対して予め設定値を設定し、その設定値に基づき、適合する式を用いて算出するようしても良く、適宜変更できる。
【００７９】
また、この実施形態では、カットオフフィルタリング１３によって、送信されてきた情報の内、カット対象データベース１１ｃに登録した経由ユーザーについて、その経由ユーザーに関連付けた属性に該当する情報及びキーワードを含む情報を廃棄するようにしているが、カットオフフィルタリング１３は、この形態のものに限らず、例えばカット対象データベース１１ｃに、経由ユーザーと関連付けて一定の属性又は一定のキーワードを登録しておき、登録した属性に該当する情報又は登録したキーワードを含む情報の何れか一方だけを廃棄する、或いは、カット対象データベース１１ｃに特定の経由ユーザーだけを登録しておき、その登録した経由ユーザーを経由してきた情報を全て廃棄する、更には、経由ユーザーとは無関係に、予め定めた一定の属性に関する情報と一定のキーワードを含む情報とのいずれか一方又を両方をカット対象データベース１１ｃに登録しておき、該当する一方又を両方の情報を廃棄するようにしても良い。又、このカットオフフィルタリング１３を、設けないものであっても良く、適宜変更できる。
【００８０】
更に、この実施形態では、コンピュータ１に設けた設定値変更手段によって、情報を閲覧したユーザーにより行なわれた情報の閲覧価値の判断データを検知し、情報に閲覧価値があるとの判断データを検知した場合に、その情報に対して優先度を算出する際に用いた設定値データベース１１ｄの設定値を増加させ、情報に閲覧価値がないとの判断を検知した場合に、その情報に対して優先度を算出する際に用いる設定値データベース１１ｄの設定値を減少させるようにして変更し、その変更後の設定値を登録するようにしているが、設定値変更手段は設ける形態のものに限らず、設けないものであっても良い。
【００８１】
又、各ユーザーが伝達する情報として、本実施形態では、ユーザーにより入力した事項そのものとしているが、この形態のものに限らず、特定のウェブページを教示する情報のようなものであっても良い。例えば図１９に示すように、特定のウェブページのアドレスを表示した情報１１０を送信先に送信し、受信した送信先のユーザーがウェブページのアドレスの表示部１１０ａをクリックすれば、そのウェブページにリンクしてウェブページの内容を閲覧できるようにしても良い。尚、この特定のウェブページのアドレスを表示した情報を送信する場合、特定のウェブページの内容も情報の一部となる。又、特定のウェブページのアドレスとともに、そのウェブページを閲覧した結果のユーザーの追記を情報の一部として載せるようにしても良い。
【００８２】
また、本実施形態においては、ユーザーによる情報の送信要否の判断を、ユーザーが内容を閲覧した後に行っているが、この形態のものに限らず、例えば送信されてきた情報が常に閲覧価値のある情報を送信してくると考えている特定のユーザーを経由してきた場合に、その情報は閲覧するまでもなく閲覧価値があると考えて情報の送信を行なうように判断し、その判断データの入力に応じて、コンピュータ１が情報の送信を行なうか否かを決定し、その決定に基づいてデータベースに登録した通信アドレスに送信するようしても良く、適宜変更し得る。又、ユーザーによる情報の送信要否の判断データの入力として、ボタン１０６ａ、１０６ｂをクリックするようにしているが、例えば予め定めた数、文字、又は記号等を入力することによって行うようにし、その入力された数、文字、又は記号等からコンピュータ１が情報を送信するか否かを送信決定手段２０によって決定するようしても良く、適宜変更し得る。
【００８３】
更に、本実施形態では、一つ又は複数のメールサーバ２を設け、インターネット及びメールサーバ２を介して情報を電子メールの形で送受信することにより、情報を伝達するようにしているが、メールサーバ２を設けず、送信元のコンピュータと送信先のコンピュータとを、通信網としてのインターネットを介して、或いは結線によって直接接続させた形態のものであっても良く、適宜変更し得る。
【図面の簡単な説明】
【図１】この発明の一実施形態の情報伝達装置を有する情報伝達システムの概略を説明するためのブロック図である。
【図２】この発明の一実施形態の情報伝達装置としてのコンピュータの構成を説明するためのブロック図である。
【図３】この発明の一実施形態の情報伝達装置としてのコンピュータのハードウェア構成を説明するためのブロック図である。
【図４】本システムにおいて送信先の登録を行う場合の処理の流れの一例を示すフローチャートである。
【図５】本システムにおいてコンピュータが送信されてきた情報を受信した場合の処理の流れの一例を示すフローチャートである。
【図６】本システムにおいてカットオフフィルタリングによって、送信されてきた情報の内、カット対象に該当する情報を廃棄する場合の処理の流れの一例を示すフローチャートである。
【図７】本システムにおいて情報に対する優先度を算出する場合の処理の流れの一例を示すフローチャートである。
【図８】本システムにおいてユーザーが送信されてきた情報を閲覧する場合の処理の流れの一例を示すフローチャートである。
【図９】送信先を登録する際に、登録を依頼する側のコンピュータに表示される送信先登録依頼入力画面の一例である。
【図１０】送信先を登録する際に、登録を依頼された側のコンピュータに表示される送信先登録依頼画面の一例である。
【図１１】送信先データベースのデータ構造を模式的に表わした図面である。
【図１２】カット対象データベースのデータ構造を模式的に表わした図面である。
【図１３】設定値データベースのデータ構造を模式的に表わした図面である。
【図１４】情報データベースのデータ構造を模式的に表わした図面である。
【図１５】情報の詳細の表示に先立ってＣＲＴに表示される情報データを示す一例である。
【図１６】ＣＲＴに表示される情報詳細表示画面の一例である。
【図１７】ＣＲＴに表示される追記用画面の一例である。
【図１８】優先度を算出する際に用いる優先度算出式である。
【図１９】ＣＲＴに表示される他の実施形態の情報詳細表示画面である。
【符号の説明】
１・・・・・・コンピュータ
２・・・・・・メールサーバ
１１ａ・・・・送信先データベース
１１ｂ・・・・情報データベース
１１ｃ・・・・カット対象データベース
１１ｄ・・・・設定値データベース
１３・・・・・カットオフフィルタリング
１４・・・・・優先度算出手段
１５・・・・・価値判断データ表示手段
【図１】
0004316160.tif 000004
【図２】
0004316160.tif 000005
【図３】
0004316160.tif 000006
【図４】
0004316160.tif 000007
【図５】
0004316160.tif 000008
【図６】
0004316160.tif 000009
【図７】
0004316160.tif 000010
【図８】
0004316160.tif 000011
【図９】
0004316160.tif 000012
【図１０】
0004316160.tif 000013
【図１１】
0004316160.tif 000014
【図１２】
0004316160.tif 000015
【図１３】
0004316160.tif 000016
【図１４】
0004316160.tif 000017
【図１５】
0004316160.tif 000018
【図１６】
0004316160.tif 000019
【図１７】
0004316160.tif 000020
【図１８】
0004316160.tif 000021
【図１９】
0004316160.tif 000022